(57)【要約】【課題】撮影を良好に行なうことができる、複数のカメラを備えた写真シール作成装置を提供する。【解決手段】写真シール作成装置は、撮影ブース１２内の被写体を撮影する、第１の方向に向けられたカメラ４と、第２の方向に向けられたカメラ５と、カメラ４での撮影時に被写体の背景となる背景部材２２Ａと、カメラ５での撮影時に被写体の背景となる背景部材２２Ｂとを備える。カメラ４および背景部材２２Ａの間の距離は、カメラ５および背景部材２２Ｂの間の距離よりも短く構成されている。これにより、カメラ４および５において、背景および被写体までの距離を考慮した設定で撮影を行うことができる。【選択図】図２
2008046489.tif 000002
【特許請求の範囲】
【請求項１】
撮影空間内の被写体を撮影する、第１の方向に向けられた第１のカメラと、
撮影空間内の被写体を撮影する、第２の方向に向けられた第２のカメラと、
前記第１のカメラでの撮影時に、被写体の背景となる第１の背景部材と、
前記第２のカメラでの撮影時に、被写体の背景となる第２の背景部材とを備え、
前記第１のカメラおよび前記第１の背景部材の間の距離が、前記第２のカメラおよび前記第２の背景部材の間の距離よりも短く構成されている、写真シール作成装置。
【請求項２】
前記第１のカメラは、被写体のアップ撮影を行ない、前記第２のカメラは、被写体の全体撮影を行なう、請求項１に記載の写真シール作成装置。
【請求項３】
前記第１のカメラと前記第２のカメラとの間に、どのカメラを用いて撮影を行なうかを説明するためのディスプレイを備えた、請求項１または２に記載の写真シール作成装置。
【請求項４】
撮影空間内の被写体を撮影する第１のカメラと、
撮影空間内の被写体を撮影する第２のカメラと、
前記第１のカメラでの撮影時に、被写体の背景となる第１の背景部材と、
前記第２のカメラでの撮影時に、被写体の背景となる第２の背景部材と、
前記第１および第２のカメラのそれぞれからの映像信号を用いて、その背景に画像合成を行なう合成手段と、
前記合成手段の画像合成のための調整値を設定する設定手段であって、前記第１のカメラからの映像信号の合成を行なう時と、前記第２のカメラからの映像信号の合成を行なう時とで異なる値を設定する設定手段とを備えた、写真シール作成装置。
【請求項５】
前記第１のカメラからの映像であって、前記合成手段による合成後の映像を表示する第１のライブモニタと、
前記第２のカメラからの映像であって、前記合成手段による合成後の映像を表示する第２のライブモニタとをさらに備えた、請求項４に記載の写真シール作成装置。
【請求項６】
撮影空間内の被写体を撮影する第１のカメラと、
撮影空間内の被写体を撮影する第２のカメラと、
前記第１のカメラの近傍に設けられる、前記第１のカメラの撮影動作を示すための第１の表示手段と、
前記第２のカメラの近傍に設けられる、前記第２のカメラの撮影動作を示すための第２の表示手段と、
前記第１および第２の表示手段を用いて、撮影するカメラを告知する告知手段とを備え、
前記告知手段は、撮影するカメラの告知を行なうときには、そのカメラの近傍の表示手段の表示を点滅させ、撮影中においてはその表示を消灯させ、そのカメラによって撮影された画像の確認を行なわせるときには、その表示を点灯状態とする、写真シール作成装置。
【発明の詳細な説明】
【技術分野】
【０００１】
この発明は写真シール作成装置に関し、特に複数のカメラを備えた写真シール作成装置に関する。
【背景技術】
【０００２】
アミューズメント施設等に設置され、設けられた撮影ブース内において被写体（ユーザ）を自動的に撮影し、この撮影画像と、付属のタッチペンによりユーザから入力される文字や図形、スタンプ画像、フレーム画像、背景画像などの編集画像とを合成して印刷画像を作成し、この印刷画像を、ユーザから選択された所定のレイアウトに配置してシールシート等の印刷媒体に印刷し、提供する写真シール作成装置があることは広く知られている。
【０００３】
このような写真シール作成装置においては、被写体の撮影を行なうための撮影ブースと、撮影した画像に対して編集を行なうための編集ブースとが互いに異なる位置に設けられ、異なるユーザが撮影行為と編集行為とを同時に行なえるようにした、いわゆる多重接客方式を採用しているものがある。
【０００４】
ところで、近年の写真シール作成装置の利用者層は、比較的に若いユーザが多くを占めており、このようなユーザからは、作成できる写真の綺麗さに加えて、撮影画像に対して楽しく編集（落書き）できる装置や、より個性的な写真を作成することができる装置が好まれる傾向にある。
【０００５】
下記特許文献１は、撮影のための複数のカメラを設けた画像プリント供給装置を開示している。
【０００６】
下記特許文献２は、検知手段で被写体を検知し、被写体の状態に基づいて出力画像の作成条件を変化させる写真シール自動販売方法を開示している。
【０００７】
下記特許文献３は、顔アップ撮影時には、撮影空間の中央付近に設置された背景カーテンを下ろし、その背景カーテンに対応した天井照明のみを発光させることで、被写体の位置に応じた照明で撮影を行なう写真自動販売機を開示している。
【特許文献１】特開２００２−３３０３７１号公報
【特許文献２】特開２００３−１７３４７２号公報
【特許文献３】特開２００６−１０９３３号公報
【発明の開示】
【発明が解決しようとする課題】
【０００８】
写真シール作成装置において、複数のカメラを備えさせることで、写真撮影をバリエーションに富んだものとすることが考えられる。
【０００９】
本発明は、撮影を良好に行なうことができる、複数のカメラを備えた写真シール作成装置を提供することを目的としている。
【課題を解決するための手段】
【００１０】
上記目的を達成するためこの発明のある局面に従うと、写真シール作成装置は、撮影空間内の被写体を撮影する、第１の方向に向けられた第１のカメラと、撮影空間内の被写体を撮影する、第２の方向に向けられた第２のカメラと、第１のカメラでの撮影時に、被写体の背景となる第１の背景部材と、第２のカメラでの撮影時に、被写体の背景となる第２の背景部材とを備え、第１のカメラおよび第１の背景部材の間の距離が、第２のカメラおよび第２の背景部材の間の距離よりも短く構成されている。
【００１１】
好ましくは第１のカメラは、被写体のアップ撮影を行ない、第２のカメラは、被写体の全体撮影を行なう。
【００１２】
好ましくは写真シール作成装置は、第１のカメラと第２のカメラとの間に、どのカメラを用いて撮影を行なうかを説明するためのディスプレイを備える。
【００１３】
この発明の他の局面に従うと写真シール作成装置は、撮影空間内の被写体を撮影する第１のカメラと、撮影空間内の被写体を撮影する第２のカメラと、第１のカメラでの撮影時に、被写体の背景となる第１の背景部材と、第２のカメラでの撮影時に、被写体の背景となる第２の背景部材と、第１および第２のカメラのそれぞれからの映像信号を用いて、その背景に画像合成を行なう合成手段と、合成手段の画像合成のための調整値を設定する設定手段であって、第１のカメラからの映像信号の合成を行なう時と、第２のカメラからの映像信号の合成を行なう時とで異なる値を設定する設定手段とを備える。
【００１４】
好ましくは写真シール作成装置は、第１のカメラからの映像であって、合成手段による合成後の映像を表示する第１のライブモニタと、第２のカメラからの映像であって、合成手段による合成後の映像を表示する第２のライブモニタとをさらに備える。
【００１５】
この発明の他の局面に従うと写真シール作成装置は、撮影空間内の被写体を撮影する第１のカメラと、撮影空間内の被写体を撮影する第２のカメラと、第１のカメラの近傍に設けられる、第１のカメラの撮影動作を示すための第１の表示手段と、第２のカメラの近傍に設けられる、第２のカメラの撮影動作を示すための第２の表示手段と、第１および第２の表示手段を用いて、撮影するカメラを告知する告知手段とを備え、告知手段は、撮影するカメラの告知を行なうときには、そのカメラの近傍の表示手段の表示を点滅させ、撮影中においてはその表示を消灯させ、そのカメラによって撮影された画像の確認を行なわせるときには、その表示を点灯状態とする。
【発明の効果】
【００１６】
これら発明に従うと、以下の効果を奏する。
写真シール作成装置に、第１および第２のカメラ、およびそれらに対応する第１および第２の背景部材を備えさせ、第１のカメラおよび第１の背景部材の間の距離を、第２のカメラおよび第２の背景部材の間の距離よりも短く構成することで、第１および第２のカメラにおける撮影条件を異ならせることができ、良好な撮影を行なうことができるという効果がある。
【００１７】
また、写真シール作成装置に、第１および第２のカメラのそれぞれからの映像信号を用いて、その背景に画像合成を行なう合成手段と、合成手段の画像合成のための調整値を設定する設定手段とを備えさせ、第１のカメラからの映像信号の合成を行なう時と、第２のカメラからの映像信号の合成を行なう時とで異なる値を設定することで、合成を的確に行ない、良好な撮影を行なうことができるという効果がある。
【００１８】
また、第１および第２のカメラの近傍に、カメラの撮影動作を示すための表示手段をそれぞれ設け、撮影するカメラの告知を行なうときには、そのカメラの近傍の表示手段の表示を点滅させ、撮影中においてはその表示を消灯させ、そのカメラによって撮影された画像の確認を行なわせるときには、その表示を点灯状態とすることで、ユーザに対して撮影状態を的確に知らせることができ、良好な撮影を行なうことができるという効果がある。
【発明を実施するための最良の形態】
【００１９】
図１は、写真シール作成装置を撮影側筐体方面から見た斜視図、図２は、写真シール作成装置の平面図、図３は、撮影側筐体２Ａに含まれるカメラ４の位置関係を示す図、図４は、撮影側筐体２Ｃに含まれるカメラ５および６の位置関係を示す図である。
【００２０】
また、図５は、図１のカメラ４の周辺の正面図である。
なお、図１においては、撮影空間である撮影ブース１２内に被写体である人物が存在するときに、その人物から見て右側を右、左側を左として説明を行なう。すなわち、撮影側筐体２Ａは、左側の撮影筐体であり、撮影側筐体２Ｃは、右側の撮影筐体である。
【００２１】
図１〜図４に示すように、写真シール作成装置は、被写体（ユーザ）を撮影するカメラ４〜６を備えるとともに、種々の処理および制御を行なう機器を備える撮影側筐体２Ａ，２Ｃと、タッチパネルディスプレイ２１を備えるとともに、種々の処理および制御を行なう機器を備える撮影側筐体２Ｂと、撮影側筐体２Ｃに隣接して設けられている編集側筐体３と、撮影側筐体２（２Ａ〜２Ｃ）および編集側筐体３を囲うように取り付けられて写真シール作成装置全体の外形を箱型に形成する外形フレームと、撮影時にユーザが撮影ポーズを形成するためのはしご８Ａ、８Ｂと、撮影用椅子９とを備える。
【００２２】
外形フレームと撮影側筐体２Ａ〜２Ｃとで形成される空間が、ユーザが撮影を行なうための撮影ブース１２となり、外形フレームと撮影側筐体２Ｂ，２Ｃと編集側筐体３とで形成される空間が、ユーザが撮影された画像に対して編集行為を行なう編集ブース１３（１３Ａ，１３Ｂ）とされている。
【００２３】
写真シール作成装置全体は、外形フレームに吊り下げられている周囲カーテン（図示は省略）により覆われており、ユーザの足元以外は外部から各ブース内の様子が見えないようにされている。また、撮影側筐体２Ａの左側と、外形フレームとの間は、ユーザが撮影ブース１２に出入りするための出入口１４とされており、撮影側筐体２Ａにおける外部に面する位置にはコイン投入口が設けられている。このコイン投入口は、撮影側筐体２Ａの背面側とほぼ面一になるように取り付けられている。
【００２４】
撮影側筐体２Ａ〜２Ｃは、上から見ると全体としてＬ字状になるように構成されている。撮影側筐体２Ａ〜２Ｃは互いに一体的に固定されている。また、撮影側筐体２Ｃの右端には、開口部（荷物置き場）１６が設けられて、ユーザがその内部に荷物などを置くことができるようにされている。
【００２５】
それぞれの筐体部における、撮影ブース１２に面する側を正面側とすると、上から見ると撮影側筐体２Ａの正面側の面と、撮影側筐体２Ｃの正面側の面とは直交するように設けられている。撮影側筐体２Ｂの正面側の面は、上から見ると撮影側筐体２Ａの正面側の面と、撮影側筐体２Ｃの正面側の面とに４５度の角度で交わるように設置されている。
【００２６】
撮影側筐体２Ａには、上部から下部にかけて乳半のアクリル製の照明パネル１７ａ，１７ｂが設けられ、撮影側筐体２Ｃには、上部から下部にかけて照明パネル１７ｃ，１７ｄが設けられている。これらの照明パネル１７ａ〜１７ｄよりも内側には、図示は省略するが、撮影ブース１２内を常に照明する蛍光灯や、撮影時に被写体（ユーザ）を照明するストロボ照明部、または各種の機器類が必要に応じて収容されている。
【００２７】
これらの照明パネル１７ａ〜１７ｄのうち、照明パネル１７ａ，１７ｃは、その上側が撮影ブース１２側に傾斜するように設けられ、照明パネル１７ｂ，１７ｄは、その下側が撮影ブース１２側に傾斜するように設けられている。これにより、ユーザを上方および下方から好適に照明できるようにされている。
【００２８】
撮影側筐体２Ａにおける照明パネル１７ａの下部には、図５に示すように、カメラ４およびカメラ４で捉えた画像を表示するライブモニタ１９Ａが設けられており、このカメラ４の周囲、たとえばカメラフードに沿った位置にはＬＥＤ表示灯２０Ａが設けられている。
【００２９】
また、撮影側筐体２Ｂのほぼ中央部には、撮影時に、ユーザからの操作入力の受付、およびデモ画面や撮影操作の手順等をユーザに対して表示するタッチパネルディスプレイ２１が設けられている。
【００３０】
また、撮影側筐体２Ｃにおける照明パネル１７ｃの下部から照明パネル１７ｄの上部にかけては、図５と同様に、カメラ５およびカメラ５で捉えた画像を表示するライブモニタ１９Ｂが設けられており、このカメラ５のカメラフードに沿った位置にはＬＥＤ表示灯２０Ｂが設けられている。
【００３１】
さらに、照明パネル１７ｄの下部に対応する位置には、図５と同様に、カメラ６およびカメラ６で捉えた画像を表示するライブモニタ１９Ｃが設けられており、このカメラ６のカメラフードに沿った位置にはＬＥＤ表示灯２０Ｃが設けられている。また、撮影側筐体２Ａおよび撮影側筐体２Ｃには、撮影時の音声案内やＢＧＭ、効果音などを出力する撮影側スピーカ１８（図６参照）が設けられている。
【００３２】
撮影側筐体２Ａに収納されているカメラ４は、図３に示すように、たとえば下向きに約１２度傾斜した状態で設けられ、カメラ４に対して近い位置でユーザをアップ撮影することを主な目的として設定されている。また、撮影側筐体２Ｃに収納されているカメラ５は、図４に示すように、カメラ４に比べてやや下方に取り付けられているとともに、その角度は０度（すなわち光軸が水平の状態）で設けられており、カメラ５に対して若干遠い位置のユーザを撮影する、すなわちユーザを全身撮影することを主な目的として設定されている。さらに、撮影側筐体２Ｃに収納されているカメラ６は、図４に示すように、たとえば上向きに４度傾斜した状態で設けられ、ユーザを下方からその全身を撮影することを主な目的として設定されている。
【００３３】
また、写真シール作成装置において、カメラ４で撮影する際の背面には、背景２２Ａ（図２参照）が設けられている。この背景２２Ａは、後述するクロマキ合成を好適に行なえるように緑などの単色のものである。カメラ５，６に対する背景２２Ｂにおいても同様である。
【００３４】
図２に示すように、撮影ブース１２は上から見ると長方形をしている。カメラ４と背景２２Ａと間の距離Ｓ１と、カメラ５（カメラ６）と背景２２Ｂとの間の距離Ｓ２とを比較すると、距離Ｓ１のほうが短くなるようにされている。カメラ４は、距離Ｓ１の区間内においてアップ撮影を良好にできる設定とされている。ユーザがカメラ４に対して距離Ｓ１以上離れられないように制限することで、常に綺麗なアップ撮影を行なうことができるようにされている。
【００３５】
また、カメラ５およびカメラ６はおよそ距離Ｓ２においてユーザの全身撮影を良好にできるような設定とされている。背景２２Ｂ側に、はしご８Ａ，８Ｂ、撮影用椅子９を設けることで、撮影時にユーザが背景２２Ｂ側に寄るようにし、およそ距離Ｓ２においてユーザの全身撮影を良好に行なうことができるようにされている。
【００３６】
なお、装置に複数のカメラを備えさせ、第１のカメラおよびその背景部材の間の距離と、第２のカメラおよびその背景部材の間の距離とが異なるように撮影ブースを構成するのであれば、撮影ブースの形態は上述のものに限られない。たとえば、上から見て楕円形に撮影ブースを構成し、短軸上に第１のカメラを設置し、長軸上に第２のカメラを設置するなどである。
【００３７】
編集側筐体３には、一方と他方の両面にタブレットディスプレイ２３Ａ，２３Ｂ（以下、これらに区別をつける必要が無い場合には単にタブレットディスプレイ２３と記す。）と、このタブレットディスプレイ２３に対して編集入力を行なうためのタッチペン２４Ａ，２４Ｂ（以下、これらに区別をつける必要が無い場合には単にタッチペン２４と記す。）と、編集画像の入力操作時に音声案内やＢＧＭなどを出力する編集側スピーカ２５（図６参照）とが設けられている。
【００３８】
編集側筐体３における一方側の面と、撮影側筐体２Ｂと、外形フレームとで形成される空間が編集ブース１３Ａとされ、編集側筐体３における他方側の面と、撮影側筐体２Ｃと、外形フレームとで形成される空間が編集ブース１３Ｂとされている。このように、本実施の形態の写真シール作成装置は、一つの撮影ブース１２と二つの編集ブース１３Ａ，１３Ｂとを備える、いわゆる三重接客方式を採用している。
【００３９】
また、編集側筐体３の側面には、プリント取出口２６が設けられており、プリント取出口２６からは、撮影画像と編集入力した画像とを合成した印刷用画像が、編集側筐体３の内部に収納されたプリンタ２７（図６参照）によってシールシート２８（図６参照）に印刷されたものが排出される。このとき、シールシート２８は、図２に示すように、編集側筐体３の側面、すなわち編集ブース１３Ａ，１３Ｂとは異なる箇所に排出されるので、編集入力を済ませた印刷待ちのユーザを、編集ブース１３から速やかに退出させるようにすることができる。
【００４０】
なお、図１に示されるように写真シール作成装置の外部に向けて外部ＰＶ（プロモーションビデオ）用モニタ５１が設けられている。これは、タッチパネルディスプレイ２１に表示されている内容、タッチパネルディスプレイ２１に表示されている内容のうち、ユーザに対する指示を削除した内容、またはＤＶＤや記憶装置に独自に記録されたビデオの内容を表示し、行列を作って並ぶ撮影待ち（または画像編集、プリント待ちなど）のユーザに対して退屈感を軽減させるためのものである。
【００４１】
本実施の形態における写真シール作成装置は、上記のように、全体としてＬ字状になるように構成された撮影側筐体を備え、かつ、カメラ４、カメラ５、およびカメラ６の３台のカメラを備えているので、ユーザが撮影を行なうために撮影ブース１２に入って来たときに、今までに無い強いインパクトを与えることができるとともに、大きな期待感を与えることができるという効果がある。
【００４２】
上記の写真シール作成装置は、ユーザからのニーズに対応すべく、さまざまな機能、たとえば音声案内機能、ストロボ照射光の変更機能などを備えている。これらさまざまの機能を実現するための機能構成を、図６を参照しながら説明する。
【００４３】
図６は、写真シール作成装置の機能構成を示すブロック図である。
写真シール作成装置は、図６に示すように、カメラ４、カメラ５、およびカメラ６による撮影、ならびにこれらのカメラによって撮影した画像の転送など、撮影側の処理を実行する撮影用コンピュータ装置３１ａと、編集処理時にユーザからタブレットディスプレイ２３に入力された内容をこのタブレットディスプレイ２３に表示するとともに、入力に基づいて編集入力する画像の作成、描画などを行なう編集に関する処理や、プリンタ２７の印刷に関する処理を実行する画像編集用コンピュータ装置３１ｂと、動作中のコンピュータ装置３１ａ、３１ｂからの指示を受け付けて、接続されている各種装置を制御する制御基板３５とを備える。この撮影用コンピュータ装置３１ａと画像編集用コンピュータ装置３１ｂとは互いに接続され、画像データなどの授受をピアツーピアで行なう。
【００４４】
コンピュータ装置３１ａ，３１ｂは、ＣＰＵ（Ｃｅｎｔｒａｌ  Ｐｒｏｃｅｓｓｉｎｇ  Ｕｎｉｔ）３２ａ，３２ｂと、写真シール作成装置に所定の処理を実行させるためのプログラム、種々の処理に必要なグラフィックデータ、音声データ、ビデオデータ、撮影画像、編集入力する画像などを記憶するハードディスクドライブ（ＨＤＤ）３３ａ，３３ｂと、プログラムの一時的な作業領域となるメモリ３４ａ，３４ｂとを有する。
【００４５】
撮影用コンピュータ装置３１ａは、カメラ４、カメラ５、カメラ６、クロマキーキャプチャーボード３６、ライブモニタ１９Ａ〜１９Ｃ、タッチパネルディスプレイ２１、および制御基板３５と電気的に接続され、撮影ブース１２での撮影側の処理を実行する。具体的には、内部のＨＤＤ３３ａに記憶された撮影側の処理についてのプログラムを実行して、ユーザからタッチパネルディスプレイ２１を介して受け付けた入力操作に基づく指示信号に従って、制御基板３５に対して制御信号を送信する。
【００４６】
クロマキーキャプチャーボード３６は、カメラ４、カメラ５、カメラ６および撮影用コンピュータ装置３１ａに接続され、このクロマキーキャプチャーボード３６により、図７に示すように、被写体であるユーザ１１を撮影する、それぞれのカメラのうちの１つのカメラから取り込んだ画像とあらかじめＨＤＤ３３ａに記憶された背景画像とがクロマキ合成（詳細は後述）され、合成された画像がたとえば毎秒３０フレームで撮影用コンピュータ装置３１ａに送られる。
【００４７】
そして、送られた画像がＣＰＵ３２ａにより、順次、撮影しているカメラに応じたライブモニタ１９Ａ〜１９Ｃのいずれかに表示され、その結果、ライブ画像が表示されることになる。
【００４８】
詳細には、図８に示すように、本実施の形態の写真シール作成装置においては、カメラは３台である。このような場合、それぞれのライブモニタ１９Ａ〜１９Ｃに、それぞれのカメラが撮影した画像を同時にライブ表示すると、ユーザは、どのライブモニタを見て撮影を行なうのかが把握しにくくなる。したがって、本実施の形態においては、ライブ画像が表示されるライブモニタ１９が撮影するカメラに応じて順次切り替えられる。
【００４９】
図８に示すように、カメラ４、カメラ５、カメラ６のそれぞれで撮影した画像は、いったん切替装置５５ａに送られる。切替装置５５ａにおいて、次に撮影を行なうカメラ（たとえばカメラ４で撮影が行われる場合には、カメラ４）で撮影した画像を選択的にクロマキーキャプチャーボード３６に送る。クロマキーキャプチャーボード３６により、送られた画像とＨＤＤ３３ａから読み出される背景画像とをクロマキ合成し、その合成画像をライブモニタ１９Ａにライブ表示する。合成映像をカメラに対応するライブモニタに表示するために、クロマキーキャプチャーボード３６の合成映像を表示するライブモニタを切替えるための切替装置５５ｃが設けられている。
【００５０】
たとえばカメラ４による撮影が終わり、次にたとえばカメラ５により撮影が行われる場合には、切替装置５５ａ，５５ｂにより、カメラ５の画像をクロマキーキャプチャーボード３６に送り、このクロマキーキャプチャーボード３６により、送られた画像をライブモニタ１９Ｂにライブ表示する。このようにすることで、撮影用のカメラが３台、ライブモニタが３台であっても、切替装置５５ａ，５５ｂによりどのカメラで撮影した画像をライブ表示するのかを選択することで、ユーザに対してどのライブモニタを見て撮影するのかを容易に教示することができる。
【００５１】
なお、撮影に用いられていないカメラに対するライブカメラには、何も表示しなくてもよいし、表示画面に蓋をしているような画像を表示してもよい。
【００５２】
また、背景２２Ａ，２２Ｂには異なる色彩を付すこともあるし、同じ色彩を付したとしてもカメラから背景までの距離、照明の当たり具合、カメラの設定などが異なる場合がある。このような場合、撮影するカメラによって背景の色彩が異なることとなり、クロマキ処理において背景と認識すべき色の範囲に差が出る。このため、カメラ４〜６のそれぞれに対応させて、クロマキ調整値５７ａ〜５７ｃを記憶しておき、切替装置５５ｂによって撮像を行なったカメラに対応するものを選択し、それをクロマキ処理に用いるものとする。
【００５３】
すなわち、ＣＰＵ３２ａからの切替信号に従って、映像を入力するカメラが切替えられ、対応するクロマキ調整値がクロマキーキャプチャーボード３６に入力される。カメラ画像のうち、調整値で設定されるキー色の部分に画像が合成され、対応するライブカメラに表示される。
【００５４】
このような処理を実行するために、切替装置５５ａ〜５５ｃの切替えは連動して行なわれる。
【００５５】
なお、たとえば、撮影用コンピュータ装置３１ａにおけるＣＰＵ３２ａに切替装置５５ａ〜５５ｃの機能を備える（より具体的には、たとえば切替装置５５ｂとして、撮影用コンピュータ装置３１ａのＣＰＵ３２ａがＨＤＤ３３ａに記憶されるクロマキ調整値５７ａ〜５７ｃのいずれかを読み出しクロマキーキャプチャーボード３６に入力することにより切り替えを実現する）、またはクロマキーキャプチャーボード３６に、これら切替装置５５ａ〜５５ｃの一部又は全ての機能を備えるなど、切替装置５５ａ〜５５ｃは、映像を入力するカメラ４〜６に連動して、クロマキ調整値５７ａ〜５７ｃ及びライブモニタ１９Ａ〜１９Ｃを切り替えることができればよく、いずれか特定のハードウェア又はソフトウェアにより構成されるものであることに限定する趣旨ではない。
【００５６】
また、上記の例では３台のカメラに対してクロマキーキャプチャーボード３６が１つである場合を説明しているが、これに限らず、それぞれのカメラに対応するクロマキーキャプチャーボード３６を設けてもよい。
【００５７】
説明を図６に戻して、画像編集用コンピュータ装置３１ｂは、プリンタ２７、タブレットディスプレイ２３、および制御基板３５に電気的に接続され、編集ブース１３Ａ，１３Ｂでの編集に関する処理および編集側筐体３内に収納されているプリンタ２７の印刷処理を実行する。具体的には、画像編集用コンピュータ装置３１ｂは、ユーザがタブレットディスプレイ２３に対して行なうタッチペン２４の操作に応じて制御信号を制御基板３５に送信する。
【００５８】
撮影側筐体２Ｂに設けられているタッチパネルディスプレイ２１は、ユーザの指等の接触を検知し、その位置に応じた指示信号を撮影用コンピュータ装置３１ａに送信する。このタッチパネルディスプレイ２１は、撮影用コンピュータ装置３１ａから送信された画像、具体的には、撮影のための案内、選択肢などをユーザに対して表示する。
【００５９】
タブレットディスプレイ２３は、それぞれに対応する左右のタッチペン２４Ａ，２４Ｂにおけるペン先の接触を検知し、その位置に応じた指示信号を画像編集用コンピュータ装置３１ｂに送信する。そして、画像編集用コンピュータ装置３１ｂから送信された画像、具体的には、編集画像の入力処理時にユーザにより描画されたペン画像、選択されたスタンプ画像、フレーム画像などの編集画像を、表示している撮影画像（編集対象となる画像）の上に重ねて表示する。
【００６０】
プリンタ２７は、撮影画像と、撮影画像に対して編集処理により入力された画像とを合成した印刷用画像をシールシート２８に印刷する。以下の例では、プリンタ２７が印刷用画像をシールシート２８に印刷する場合を説明するが、印刷媒体はシールシート２８に限定されず、他の印刷媒体でもよい。
【００６１】
制御基板３５は、コンピュータ装置３１ａ，３１ｂの他に、ストロボ制御部４１、撮影ブース１２や編集ブース１３Ａ，１３Ｂに設けられている蛍光灯４２、サービスパネル４３、印刷中ＬＥＤ４４、印刷エラーＬＥＤ４５、コイン制御部４６、音声制御部４７、および外部ＰＶ用モニタ５１に接続され、それぞれを所定の設定に従って制御する。
【００６２】
ストロボ制御部４１は、カメラ４、カメラ５、カメラ６およびストロボ４８に接続され、それぞれのカメラのシャッタタイミングに応じて発光するようにストロボ４８を制御する。ストロボ４８から照射された光は、照明パネル１７ａ〜１７ｄを介してユーザに照射される。
【００６３】
サービスパネル４３は、投入されたコインの枚数をカウントするコインカウンタ、印刷されたプリントの枚数をカウントするプリントカウンタ、撮影側スピーカ１８、編集側スピーカ２５から出力する音声のボリュームを調整する音量調整つまみ、テストモードを行なうためのテストボタン、コインを投入しなくても装置が利用できるようにするためのサービスボタン等を備えるパネルであり、写真シール作成装置が設置される店舗などの管理人が各種設定やメンテナンスの操作を行なう際に用いる。サービスパネル４３は、テストボタンの操作などが行われると、その操作にしたがった制御信号を制御基板３５に対して送信したり、所定の指示信号をコンピュータ装置３１ａ，３１ｂに送信したりする。
【００６４】
なお、制御基板３５は、撮影用コンピュータ装置３１ａあるいは画像編集用コンピュータ装置３１ｂから受信した制御信号（指示コマンドなど）に従って、サーピスパネル４３に対して制御信号を送信する。サービスパネル４３は、この制御信号に従って、コインカウンタやプリントカウンタを動作させる（たとえばカウンタを１インクリメントする）。
【００６５】
音声制御部４７は、制御基板３５を介して撮影用コンピュータ装置３１ａおよび画像編集用コンピュータ装置３１ｂに接続されている。撮影用スピーカ１８は、撮影用コンピュータ装置３１ａから制御基板３５および音声制御部４７を介して与えられる指示信号に基づいて、撮影のための操作方法などの案内やＢＧＭなどを出力する。また、編集側スピーカ２５は、上述のように、編集側筐体３に配備され、画像編集用コンピュータ装置３１ｂから制御基板３５および音声制御部４７を介して与えられる指示信号に基づいて、編集のための操作方法などの案内やＢＧＭなどを出力する。
【００６６】
コイン制御部４６は、コイン投入口１５に投入されたコインの正当性を検出し、制御基板３５にコインが投入されたことを示す検出信号を送信する。このとき、制御基板３５は、撮影用コンピュータ装置３１ａあるいは画像編集用コンピュータ装置３１ｂから受信した制御信号（指示コマンドなど）に従って、コイン制御部４６に対して制御信号を送信する。所定枚数のコインが投入されると、コイン制御部４６は制御信号に従って、新たにコインが投入されないようにコイン投入口１５をブロックする。
【００６７】
以上のような構成において、ユーザは、撮影ブース１２内において、タッチパネルディスプレイ２１を介して背景画像を選択したうえで、はしご８Ａ、８Ｂ、撮影用椅子９を利用するなどして好みの撮影ポーズを形成して写真撮影を行なう。
【００６８】
上記のようにして、撮影を行ったユーザは、編集ブース１３Ａまたは１３Ｂに移動し、タッチペン２４を用いて、撮影画像が表示されるタブレットディスプレイ２３に対して編集画像の入力を行なう。そして、編集画像の入力が終わると、生成された印刷用画像がシールシート２８に印刷されて排出されるプリント取出口２６に移動し、出力されるシールシート２８を取得して写真シール作成装置の利用を終了する。
【００６９】
ここで、写真シール作成装置における撮影側の処理について、図９を参照しながら詳細に説明する。
【００７０】
この撮影側の処理は、撮影用コンピュータ装置３１ａにおけるＣＰＵ３２ａがＨＤＤ３３ａに記憶された動作プログラムをメモリ３４ａに読出して実行することで実現される。
【００７１】
撮影側の処理としては、はじめに、写真シール作成装置に電源が投入されると、撮影用コンピュータ装置３１ａのＨＤＤ３３ａ、画像編集用コンピュータ装置３１ｂのＨＤＤ３３ｂに格納された動作プログラムが起動する。ＣＰＵ３２ａ，３２ｂは、各種機器が正常に接続されているかチェックし、初期化が必要な機器に対しては初期化を行なう。
【００７２】
初期化処理時に、コイン制御部４６がコイン投入口１５をロックするように作動している場合は、ＣＰＵ３２ａはロックを解除する制御信号を送出し、ロックを解除する。そしてコイン投入を可能にする。
【００７３】
次にＣＰＵ３２ａは、写真シール作成装置の利用を促すタイトルデモ画面を撮影ブース１２におけるタッチパネルディスプレイ２１に表示し、その間にコイン制御部４６において対価であるコインの投入を監視する（Ｓ１０１）。
【００７４】
所定の枚数のコインが、ユーザにより投入されたと判断すると、これ以上のコインが過剰に投入されないように、コイン投入口１５をロックする。
【００７５】
コインロックを行なうと、次に、ユーザからタッチパネルディスプレイ２１を介してスタートの指示を示す画面のタッチ（Ｓ１０３）と、撮影コースの選択とを受付ける（Ｓ１０３）。撮影コースは、ここではたとえば、「こだわりコース」、「オートコース」の２種類のコースがあり、選択されるコースによって撮影方法、撮影回数、写り具合、明るさなどが異なるように設定されている。ユーザはこれらのコースの中から好みの撮影コースを選択する。
【００７６】
「こだわりコース」が選択されると、図１０および図１１の処理が行なわれ、「オートコース」が選択されると、図２１の処理が行なわれる。これらの処理については、後述する。
【００７７】
所定枚数の撮影が終了する、あるいは撮影制限時間が経過すると、ＣＰＵ３２ａは、処理をステップＳ１１１に進め、タッチパネルディスプレイ２１にメイン写真選択画面を表示する。この画面において、ユーザは撮影された４〜１２枚の写真の中から、メインとなる写真を４枚選択する。
【００７８】
次に、タッチパネルディスプレイ２１に撮影終了の画面を表示して（Ｓ１１３）、撮影画像を画像編集用コンピュータ装置３１ｂに転送する。また、このときにエラーチェックを行なってもよい。そして、ユーザを編集ブース１３Ａまたは１３Ｂに案内し、処理をステップＳ１０１に戻し、前記ユーザに対する撮影側の処理を終了する。
【００７９】
撮影を終えたユーザは撮影側の処理が終了したことになるので、撮影ブース１２を出て、次の編集作業を行なうべく、所定の編集ブース１３Ａまたは１３Ｂに移動し、編集作業を開始する。
【００８０】
図１０および図１１は、図９のこだわりコースでの処理を示すフローチャートである。
ステップＳ２０１において、タッチパネルディスプレイ２１に写りおよび明るさの選択画面を表示する。
【００８１】
図１２は、写りおよび明るさの選択画面の具体例を示す図である。
ここでは、２種類の写り方（ソフト／ハード）と、明るさ（明るい／オススメ／ふつう／こんがり）の中からユーザは好みのものを選択することができる。
【００８２】
ここでは装置の設定に関する２つの項目として、写り方と明るさとの選択を受付けているが、写り方の項目に関する選択肢（ソフト／ハード）のそれぞれに対応付けて、明るさの項目に関する複数の選択肢（明るい／オススメ／ふつう／こんがり）を表示している。このような表示を行なうことで、明るさの項目に関する選択肢が選択されると、それに対応付けられている写り方の項目に関する選択肢も選択されたものと判定することができる。これにより、ユーザの１回の操作で２つの項目の選択を受付けることができ、操作時間を短縮することができるという効果がある。
【００８３】
ステップＳ２０３において、タッチパネルディスプレイ２１に、３回分の撮影それぞれにおける、使用するカメラおよび合成する背景画像の選択画面を表示する。
【００８４】
図１３は、使用するカメラおよび合成する背景画像の選択画面の具体例を示す図である。
【００８５】
ここでは、背景としてａ〜ｈの８種類、および３台のカメラのうちのどのカメラを用いた撮影を行なうかを選択することができる。選択肢としては、８×３の２４種類があるものとするが、スクロール表示などを用いることによりさらに背景の選択肢を増やすよう装置を構成してもよい。図１３においても、カメラに対する選択肢のそれぞれに対応させて、背景に対する複数の選択肢を表示しているため、操作時間の短縮が図られる。
【００８６】
なお、ステップＳ２０１では写りと明るさの２つの項目を、ステップＳ２０３ではカメラと背景の２つの項目を選択することとしたが、たとえば図１４に示されるように、先ず画面（１）を表示し、そこで項目Ａ（第１の項目）についての選択（たとえば、ａ１〜ａ３のいずれか）を受付け、その後画面（２）を表示し、そこで項目Ｂ（第２の項目）についての選択（たとえば、ｂ１〜ｂ３のいずれか）を受付けるようにしてもよい。但し、この場合２画面分のデータを用意せねばならず、またユーザの選択に係る時間が長くなり、顧客回転率の点で問題がある。
【００８７】
また、図１５に示されるように１つの画面で２つの項目を選択させ、１画面において画面中の２箇所のタッチをユーザから受付けるようにしてもよいが、この場合でもユーザは２回の選択を行なわねばならず、選択に係る時間が長くなる。
【００８８】
そこで、本実施の形態では図１６に示されるように、１つの画面中において２つの項目を一度に選択できるようにするために、タッチパネルディスプレイ２１の表示における項目Ａに対する選択肢ａ１〜ａ３のそれぞれに、項目Ｂに対する選択肢ｂ１〜ｂ３を表示させる。これにより、１回のタッチで２項目を選択することができ、ユーザの選択に係る時間を短くすることができるという効果がある。
【００８９】
すなわち、図１２においてはソフト／ハードの選択肢の中に、明るい／オススメ／ふつう／こんがりの選択肢が含まれている。また、図１３の例ではカメラの選択肢の中に背景の選択肢が含まれている。
【００９０】
なお、図１２、１３、および１６の例では、１つの項目の中に同じ選択肢を含めることとしたが、図１７に示されるように項目Ａの選択肢ａ１〜ａ３ごとに、その中に含める項目Ｂの選択肢を変化させるようにしてもよい。このようにすることで、項目Ａに適した項目Ｂの選択肢を提供することができ、また設定されると好ましくない組合せで選択肢が選ばれることを防ぐことができる。
【００９１】
ステップＳ２０５において、選ばれた設定で３回分の撮影が行なわれる。先ず、１ｓｈｏｔ目を撮影するカメラがどのカメラなのかをユーザに教示すべく、タッチパネルディスプレイ２１に矢印などを用いた案内画面を表示する。このとき、１ｓｈｏｔ目を撮影するカメラに対応するＬＥＤ表示灯２０を点滅表示させ、ユーザに対して目立たせる。
【００９２】
例として１ｓｈｏｔ目にカメラ４による撮影を行なう場合を説明すると、タッチパネルディスプレイ２１には、そのカメラの方向を示す案内画面が表示される。なお、案内画面の表示に合わせて、「左のカメラで撮影するよ！」といった音声案内をすることが好ましい。
【００９３】
カメラ４で撮影するという案内画面がタッチパネルディスプレイ２１に表示され、かつ、カメラ４に対応するＬＥＤ表示灯２０Ａが点灯表示されると、ユーザはその体を、撮影側筐体２Ｂに対して向かい合っている現在の方向から、撮影を行なうカメラ４に相対する方向に回転させる。
【００９４】
ＣＰＵ３２ａは、タッチパネルディスプレイ２１に案内画面を表示すると、カメラ４が現在撮影している画像をライブ画像としてライブモニタ１９Ａに表示する。そして、ＣＰＵ３２ａは、選択された設定に基づいて、写りや明るさを変更し、シャッタ動作を行なう。なお、シャッタ動作の際には、ＬＥＤ表示灯２０の点滅状態は解かれ、ユーザにとって目障りにならないようにされている。また、被写体若しくは被写体の目などへＬＥＤ表示灯が映りこむことを防ぐことができる。
【００９５】
このとき、カメラ４と背景２２Ａとの距離がＳ１で、カメラ４は距離Ｓ１の区間内においてアップ撮影を良好にできるような設定とされ、かつ、ユーザがカメラ４に対して距離Ｓ１以上離れられないように制限されているため、カメラ４で常に綺麗なアップ撮影を行なうことができる。
【００９６】
そして、シャッタ動作を終えると、どのような画像が撮影されたのかをユーザに示すべく、ＣＰＵ３２ａは、撮影した画像をタッチパネルディスプレイ２１とライブモニタ１９Ａに表示する。このときＬＥＤ表示灯２０は、点灯状態となる。撮影画像を所定の間だけ表示すると、次に、ＣＰＵ３２ａは、所定枚数（ここでは３枚）の撮影をしたのかを判断し、所定枚数の撮影が完了するまで撮影処理を行なう。
【００９７】
なお、カメラ５による撮影が行なわれる際には、ユーザは背景２２Ｂ側に体を寄せ、はしご８Ａ、８Ｂや撮影用椅子９を使用して、カメラ５との距離がほぼＳ２となる位置で撮影ポーズを形成する。カメラ５と背景２２Ｂとの距離がＳ２で、カメラ５はほぼ距離Ｓ２において全身撮影を良好にできるような設定とされ、かつ、ユーザがカメラ５に対してほぼ距離Ｓ２の位置で撮影ポーズを形成するため、カメラ５で常に綺麗な全身撮影を行なうことができる。
【００９８】
以上のような撮影方法によると、ユーザは、１回の撮影が終わるたびに、タッチパネルディスプレイ２１を見て次にどのカメラで撮影が行われるのかを確認し、そして、タッチパネルディスプレイ２１に表示、案内され、かつ、ＬＥＤ表示灯２０により案内されたカメラに相対するように体の向きを変え、そのカメラに対して撮影ポーズを形成して撮影を行なう、ということを連続して繰り返し行なうことになる。
【００９９】
また、複数のカメラの近傍に備えられたそれぞれのＬＥＤ表示灯２０の表示を、シャッタ動作前（撮影前）は撮影するカメラを告知するために点滅させ、シャッタ動作中（撮影中）は被写体への映り込みを防止するために消灯させ、シャッター動作後（撮影後）は撮影された画像を確認させ、次に撮影するカメラと誤解させないために、点灯させることにより、複数のカメラにより撮影を行わせる写真シール作成装置において、ユーザの混乱なく視線を誘導でき、かつＬＥＤが映りこまないきれいな写真を提供することが可能となる。
【０１００】
３回の撮影が終了すると、図１０のステップＳ２０７において、タッチパネルディスプレイ２１に、次の３回分の撮影それぞれにおける、使用するカメラおよび合成する背景画像の選択画面を表示する。
【０１０１】
このとき、図１３と同様の画面が表示されるが、既にステップＳ２０３で選択されたカメラおよび合成する背景画像の組合せの欄には、「選択済み」のマークを表示することで既に選択されて撮影済みであることをユーザに告知する。また、ステップＳ２０７においては「明るさ変更」ボタンが画面に表示される。「明るさ変更」ボタンが押下されると（Ｓ２０９でＹＥＳ）、図１８に示される明るさ選択画面が表示され、明るさの変更を行なうことができる（Ｓ２１９）。この明るさ変更は、１回だけ可能とする。
【０１０２】
３回分の撮影の設定が選択されると（Ｓ２１１でＹＥＳ）、ステップＳ２１３でその設定による３回の撮影処理が行なわれる。
【０１０３】
３回の撮影が終了すると、ステップＳ２１５において、プレイ開始から所定時間（ここでは１４０秒）以上経過しているかを判定する。ＹＥＳであれば、メインルーチン（図９のステップＳ１１１）へ戻る。ＮＯであれば、ステップＳ２１７においてカメラ５を用いて人物スタンプ用の撮影を２回行なう。これは、後の編集処理でスタンプとして用いる画像を撮影するものである。２回の撮影後、メインルーチン（図９のステップＳ１１１）へ戻る。
【０１０４】
人物スタンプとは、カメラにより撮影された撮影画像から、人物である被写体以外の所定のキー色の背景部分をクロマキ処理により抽出し、抽出された画素を透明にし、後述の
編集処理のスタンプとして利用できるようサイズ等が加工された画像である。
【０１０５】
なお、上記フローチャートでは、６回の撮影を行なうときに設定画面を２回表示し、それぞれの設定画面において３回分の撮影の設定を行ない、設定後に３回の撮影を連続して行なうこととした。これに替えて、図１９のフローチャートで示す撮影を行なってもよい。
【０１０６】
図１９は、撮影処理の変形例を示すフローチャートである。
この変形例では、ステップＳ３０１において２回分の撮影の設定を行ない、ステップＳ３０３において、それぞれの設定で２回の撮影を行なう。ステップＳ３０５で合計６回の撮影が終了したかを判定し、ＹＥＳとなるまで、ステップＳ３０１からの処理を繰返す。
【０１０７】
但し、図１９に示した例では、ステップＳ３０１での選択に要する時間を２０秒、ステップＳ３０３での１回の撮影に要する時間を１０秒（２回の撮影で２０秒）とすると、全体で（２０＋２０）×３＝１２０秒の時間が必要となる。
【０１０８】
これに対して本実施の形態では、図２０のように３回分の撮影の設定を一度に行なわせ（Ｓ３５１）、それぞれの設定で３回の撮影を行ない（Ｓ３５３）、その処理を２回繰返すことで（Ｓ３５５）、合計６回の撮影を行なう処理が実行される。３回分の撮影のための設定時間を２０秒、１回の撮影に要する時間を１０秒（３回の撮影で３０秒）とすると、全体で（２０＋３０）×２＝１００秒の時間で設定から撮影までの処理を完了することができる。
【０１０９】
このように、本実施の形態では、撮影手段で一度に連続撮影する写真撮影の回数を、設定および撮影処理を繰返す回数よりも多くすることで、図１９の例よりも、設定から撮影に至る時間を短縮することができ、顧客の回転率を上げることができるという効果がある。
【０１１０】
図２１は、図９のオートコースでの処理を示すフローチャートである。
ステップＳ４０１において、タッチパネルディスプレイ２１に楽曲の選択画面を表示する。楽曲には、プロモーションビデオなどのビデオムービーが対応付けられており、選択された楽曲のビデオ画像、音声とともに以降の撮影が行われることとなる。すなわち、選択された楽曲に応じて、撮影時にタッチパネルディスプレイ２１に表示されるムービー、撮影側スピーカ１８から流れる曲、撮影枚数、および撮影タイミングなどが決定される。
【０１１１】
ユーザによって楽曲の選択が行なわれると、その楽曲に対応するムービーの再生がタッチパネルディスプレイ２１においてスタートし、同時にムービーに合わせた楽曲の音声が撮影側スピーカ１８から出力され、ステップＳ４０３において再生が継続する。
【０１１２】
ステップＳ４０５において、再生中に撮影タイミングとなったかが判定され、ＹＥＳであればムービーを流しながら、ステップＳ４０７において撮影の告知（用いるカメラの告知など）、カウントダウン、シャッター動作、およびプレビュー表示などの撮影の一連の処理が行なわれる。撮影の一連の処理においては、ユーザに撮影状況を示すための音声を楽曲に重ねて出力し、タッチパネルディスプレイ２１に再生されるムービーに重ねて、撮影状況を示すための画像を表示する。
【０１１３】
ステップＳ４０９において、撮影が終了（またはムービーが終了）したかが判定され、ＹＥＳであれば図９のステップＳ１１１へ戻り、ＮＯであればステップＳ４０３からの処理を行なうことでムービーの再生を継続する。
【０１１４】
図２２は、撮影時における一連の処理を示すフローチャートである。
図を参照して、ステップＳ５０１で撮影に使用するカメラに対応するＬＥＤ表示灯２０を点滅させることで、ユーザに対して撮影するカメラを知らせる。ステップＳ５０３において、撮影に使用するカメラに対応するライブモニタ１９に、そのカメラのライブ画像を表示させる。
【０１１５】
ステップＳ５０５において、ＬＥＤ表示灯２０を消灯することで、撮影中にユーザの目障りにならないようにする。ステップＳ５０７で映像と音声によるカウントダウンを開始し、カウントダウンが終了すると（Ｓ５０９でＹＥＳ）、ステップＳ５１１でシャッター動作を行ない、画像を得る。ステップＳ５１３で、消灯させていたＬＥＤ表示灯２０を点灯させ、そのカメラで得られたプレビュー画面を表示する（Ｓ５１５）。プレビュー画面は、ライブモニタ１９においては画面全体を用いて、タッチパネルディスプレイ２１においては、ムービーに重ねた小さなサムネイル画像として表示されるものとする。
【０１１６】
本実施の形態では、撮影時にはＬＥＤ表示灯を点滅、プレビュー画像表示時には点灯させているため、カメラで撮影を行なうのか、プレビュー表示を行なうのかをユーザに区別して告知することができる。
【０１１７】
図２３は、オートコースにおけるタッチパネルディスプレイ２１の表示内容のタイミングチャートを示す図である。
【０１１８】
たとえばユーザによりある楽曲のプロモーションビデオ（ＰＶ）が選択されたことを想定する。プロモーションビデオの再生がスタートする時点Ｔ１で、プロモーションビデオの画面に撮影開始を示すメッセージを重ねて表示する。プロモーションビデオの画面または音楽に合わせた好ましいタイミングを撮影タイミングＴ２とし、撮影の告知（用いるカメラの告知など）、カウントダウンを行ない、時刻Ｔ３においてシャッター動作を行なう。時刻Ｔ４において撮影画像をプレビュー表示させる。このＴ２〜Ｔ４の処理を繰返し行なうことで、複数回の撮影を行ない、プロモーションビデオが終了する所定時間前の時刻Ｔｎにおいてプロモーションビデオに重ねて終了のメッセージを表示する。時刻Ｔｎ＋１においてプロモーションビデオが終了する。
【０１１９】
たとえば、このＴ１〜Ｔ４のタイミング値（映像が再生されてからの経過時間）、及びそれぞれのタイミングでプロモーションビデオに重ねて表示する表示内容等の情報は、プロモーションビデオごとに所定のファイルに記録される。撮影用コンピュータ装置３１ａのＨＤＤ３３ａに記憶された当該ファイルをＣＰＵ３２ａが読み出し、再生と同時に開始されるタイマー等の計時手段により、再生からの経過時間を監視し、経過時間が記録されたタイミングに達した場合、記録された表示内容を表示させることにより、上記処理を実現することができる。このようにすれば、装置で提供するプロモーションビデオを追加、差し替え等する場合であっても、これらプロモーションビデオごとに、メッセージを重ねて表示する新たなプロモーションビデオを作成する必要がなく、上述のファイルの記録を更新するだけでよい、これにより、ユーザに提供する映像の差し替え等がスムーズに行なうことが可能となる。
【０１２０】
なお、１回の撮影ごとに使用するカメラを変更すると、ユーザは、撮影のたびごとに、タッチパネルディスプレイ２１に表示、案内されるカメラに対して撮影ポーズを形成する、すなわち、撮影するカメラに応じて体の向きを変えたり、しやがんだり、立ったり、はしご８Ａ、８Ｂに掴まったり、撮影用椅子９に座ったりすることで、単に撮影を行なうだけでなく、体を動かすという要素が追加されるので、音楽に合わせて、はしゃいで楽しく撮影を行なうことができ、ユーザに対して新たな遊戯性と驚きを提供することができる。さらに、ユーザによっては、体を動かしたことで爽快感を得ることもできる。
【０１２１】
また、上述したように、カメラ４は主にアップ撮影を目的とし、カメラ５は主に全身撮影を目的とし、カメラ６は主に下アングルからの全身撮影を目的としており、たとえば、撮影時におけるこれらのカメラの使用回数が均等になるように設定をすることで、ユーザに対して、アップ撮影、全身撮影、下アングルからの撮影をバランスよく行わせることができ、撮影ブース１２ならびにこの撮影ブース１２内に設けられているはしご８Ａ、８Ｂ、撮影用椅子９を無駄なく使用させることができる。
【０１２２】
また、ユーザは、次に撮影で使用するカメラがどのカメラなのかを撮影前まで分からないことから、次に撮影に使用するカメラがどれであるのかを表示、案内するタッチパネルディスプレイ２１やＬＥＤ表示灯２０に対して必然的に集中するようになり、したがって、ユーザを撮影に集中させることができる。
【０１２３】
また、撮影時にどのカメラを使用するのかは、あらかじめ設定しておいてもよいし、ランダムで決定してもよい。あらかじめ設定しておく場合であれば、たとえばカメラ４の次にカメラ６で撮影するパターンまたは、カメラ６の次にカメラ４で撮影するパターンを多く用いれば、ユーザの運動量を多くすることができ、逆に、カメラ４の次にカメラ５で撮影するパターンまたは、カメラ５の次にカメラ４で撮影するパターンを多く用いれば、ユーザ１２の運動量を前者に比べて少なくすることができる。このように、撮影時にどのカメラを使用するのかをあらかじめ設定しておけば、ユーザの運動量を調整することができる。
【０１２４】
また、アップ撮影重視か全身撮影重視かを、ユーザにあらかじめ選択させておいて、その結果に基づいて、たとえば、全身撮影重視と選択されていれば、所定枚数の撮影のうち、カメラ５による撮影回数の割合が多くなるようにしてもよい。これにより、ユーザのニーズにより近付くことができる。
【０１２５】
また、上記においては、撮影のたびごとに使用するカメラが変更する場合を説明しているが、これに限らず、たとえばその回の撮影と次の撮影とを同じカメラで行ってもよい。このようにすることで、ユーザの意表をつくことができる。
【０１２６】
図２４は、図２１のステップＳ４０１で表示される楽曲選択画面の具体例を示す図である。
【０１２７】
図に示されるように、ここでは横３×縦４の計１２の楽曲の中からユーザは好みのものを選択することができる。図中、Ｎ１〜Ｎ１２は曲名が表示される部分を示し、ａ１〜ａ１２はアーティスト名が表示される部分を示している。また、それぞれの楽曲に対応させてアーティストや曲のイメージを示す写真が表示される。また、星の数により難易度が表示される。
【０１２８】
さらに、「ＮＥＷ」の表示により新規に導入された楽曲であることが示され、「ＰＶ」の表示によりプロモーションビデオが表示されることが、「ＮＡ」の表示によりそのアーティストによるナレーションが行なわれることが示されている。
【０１２９】
図２５は、図２３の開始メッセージ表示タイミングＴ１におけるタッチパネルディスプレイ２１の表示の具体例を示す図である。
【０１３０】
この画面においては、プロモーションビデオの画像に「ＳＴＡＲＴ」のメッセージが合成されて表示され、これにより撮影の一連の処理が始まることが告知される。
【０１３１】
図２６〜２８は、図２３の撮影タイミングＴ２におけるタッチパネルディスプレイ２１の表示の具体例を示す図である。
【０１３２】
図２６〜２８は、それぞれカメラ４〜６で撮影を行なう時の表示を示している。ここでは、矢印により視覚的に撮影するカメラを示している。なお、矢印などの撮影を示す表示は、画面に大きく重ねて表示することが好ましい。ムービーの表示からユーザの目を離させるためである。
【０１３３】
また、よりムービーの表示からユーザの目を離させるためには、矢印などの撮影の案内を表示するタイミングで、ムービーの音声だけを再生するようにし、ムービーを非表示、もしくは矢印表示に不透明の背景を表示する等、完全にムービーの映像を隠すようにしてもよい。
【０１３４】
なお、図２５〜図２８に示されるビデオ画像と、文字や矢印などの画像は、予め合成した状態でＨＤＤに記録していてもよいし、別に記録しておき、プレイ中に合成することとしてもよい。音声に関しても同様であり、ビデオの音声と、撮影タイミングなどを通知する音声は、予め合成した状態でＨＤＤに記録していてもよいし、別に記録しておき、プレイ中に合成することとしてもよい。
【０１３５】
図２９は、図２３のプレビュー表示タイミングＴ４におけるタッチパネルディスプレイ２１の表示の具体例を示す図である。
【０１３６】
ここでは、９回の撮影が行なわれた後の表示を示しており、撮影された画像がＰ１〜Ｐ９として並べて表示されている。なお、プレビュー画像Ｐ１〜Ｐ１２の表示は、所定時間経過後に消去し、ムービー表示の邪魔にならないようにしてもよい。
【０１３７】
なお、オートコースにおいては楽曲ごとの写真撮影枚数をユーザに知らせないことが好ましい。ユーザが写真撮影枚数によって楽曲を選択することをなくすためである。ムービーの再生には楽曲の宣伝効果もあり撮影回数が多く設定されている楽曲に選択が偏らないよう満遍なく選択させるためでもある。また、ムービー再生中においても、撮影の残り枚数をユーザに知らせないことが望ましい。ユーザを撮影に集中させるためである。
【０１３８】
また、バラード調の静かな曲に対しては撮影回数を少なくし、逆に激しい曲に対しては撮影回数を多くするなどしてもよい。また、曲によって撮影タイミング、撮影回数、撮影間隔、用いるカメラなどを変更することが好ましい。これにより、撮影の難易度を調整することが可能である。
【０１３９】
また、図２５〜図２８に示される画面は、外部ＰＶ用モニタ５１にも表示するようにしてもよいし、外部ＰＶ用モニタ５１においては、ビデオ画面のみを表示し、文字や矢印などの画像は表示しないようにしてもよい。外部ＰＶ用モニタ５１の設置により、写真シール作成装置の利用を待機するユーザの退屈感をなくす効果がある。さらに、内部に表示されている映像と連動して表示させる場合には、撮影終了までのおおよその時間を外部に知らせる効果もあり、またどのような映像が表示されるかを撮影前にあらかじめ知ることができ、撮影ポーズ等を待機中に考えておくことも可能となる。
【０１４０】
図３０は、編集側の処理を示すフローチャートである。
編集側の処理は、画像編集用コンピュータ装置３１ｂの電源が投入されると、ＨＤＤ３３ｂに記憶されたプログラムがメモリ３４ｂに自動的に展開され、ＣＰＵ３２ｂにより実行される処理である。編集側の処理を実行することにより、ユーザに対して、カメラ４、カメラ５、カメラ６で撮影された撮影画像に対する編集画像の入力を行なえるようにする。
【０１４１】
編集側の処理として、ＣＰＵ３２ｂは、まず初期化処理を行ない、「先に撮影をしてね！」などの待機画面を含むデモ画面をタブレットディスプレイ２３に表示する（Ｓ６０１）。そして、撮影側から撮影画像が転送されるとデータ転送中画面を表示し（Ｓ６０３）、完了すると画面をペンでタッチさせることで編集処理をスタートさせる（Ｓ６０５）。
【０１４２】
ステップＳ６０７以降において、編集画像の入力処理（らくがき処理）を行なう。この編集画像の入力処理では、ユーザはタッチペン２４により、ベンツール、スタンプツール、フレームツールなどの好みの編集ツールを選択し、所定の編集画像を撮影画像に対して入力するが、この編集画像の入力処理については既に公知であるので、詳細な説明は省略する。また、ここでは、いずれの撮影画像に対して編集画像を入力するかを選択させるために、撮影画像のサムネイル画像の一覧が表示される。図９のＳ１１１で選択されたメインの４枚の写真が大きく、残りの撮影画像は小さく表示され、撮影した撮影画像全てに編集画像を入力できるようになっている。
【０１４３】
タッチペン２４は、タブレットディスプレイに対して左右２本備えられているため、タブレットディスプレイの画面は左右２分割され、左右それぞれのユーザからの入力を受付ける。
【０１４４】
編集画像の入力処理が終了すると、ステップＳ６０９において、ユーザからのおまけ画像の選択を最大４枚まで受付ける。
【０１４５】
ＣＰＵ３２ｂは、ユーザから印刷画像をシールシート２８に印刷する際のレイアウトの選択を受け付け（Ｓ６１１）、落書き後のプレイを実行しながら（Ｓ６１３）、印刷を実行する。印刷が終了すると、その旨をユーザに対して告知し（Ｓ６１５）、写真シール作成装置の利用を終了させ、デモ画面に戻る（Ｓ６０１）。
【０１４６】
図３１は、図３０の落書き後のプレイ（Ｓ６１３）の処理を示すフローチャートである。
【０１４７】
図を参照してステップＳ７０１において、ユーザにプリント中に行なうプレイを選択させる。ここでは、携帯電話への画像の転送、携帯写真用落書き、および落書き見本を見る、の中から選択を受付けるものとする。なお、上述の通り画面は左右２分割されているため、左右ユーザにおいて異なる選択を受付け、異なるプレイを提供することも可能である。
【０１４８】
携帯電話への画像の転送が選択された場合には、ステップＳ７０３において、電波状況によっては送信できない旨の警告画面を表示する。ステップＳ７０５において、送信先のアドレスの入力を受付ける。また、ＩＤが取得できるのであればそれに対応させて記憶しておいたアドレスを読出すようにしてもよい。
【０１４９】
ステップＳ７０７において、メイン画像として選んだ写真の中から携帯電話に送信する写真の選択を受付ける。
【０１５０】
図３２は、図３１のステップＳ７０７でタブレットディスプレイ２３に表示される画面の具体例を示す図である。
【０１５１】
図に示されるように、ユーザによって選択されたメイン画像が表示され、選択が受付けられる。ここでは、画像編集が行われた状態のメイン画像Ａ〜Ｄと、行われていない状態のメイン画像ａ〜ｄが表示され、入力を受付けるものとする。
【０１５２】
ステップＳ７０９において、送信する画像に対して動くデザインを施す処理を行ない、その画像を送信先に送信する。
【０１５３】
図３３は、図３１のステップＳ７０９でタブレットディスプレイ２３に表示される画面の具体例を示す図である。
【０１５４】
図３２で画像Ｃが選択されたものとすると、画像Ｃに対して複数のデザインを施した画像Ｃ１〜Ｃ６が表示され、ユーザからの選択を受付ける。なお、このうち一部は動かないデザインを施したものでもよく、またデザインを施さないものを送信画像としてもよい。
【０１５５】
ステップＳ７３９において、ウエイト画面をタブレットディスプレイの左右両方での処理が終了するまで表示する。
【０１５６】
携帯写真用落書きが選択された場合には、ステップＳ７３１において、電波状況によっては送信できない旨の警告画面を表示する。ステップＳ７３３において、送信先のアドレスの入力を受付ける。また、ＩＤが取得できるのであればそれに対応させて記憶しておいたアドレスを読出すようにしてもよい。
【０１５７】
ステップＳ７３５において、ユーザに対して落書きの説明を行ない、ステップＳ７３７で落書きの入力を受付け、ステップＳ７３９へ進む。
【０１５８】
落書き見本を見る、が選択された場合には、ステップＳ７６１において、写真登録画面を表示する。ユーザはこの画面において、メイン画像の中から登録するものを１枚選択する。なお、ボタン押下により登録を行わないこととしてもよい。
【０１５９】
ステップＳ７６３において、過去に登録された写真の閲覧画面を表示し、ユーザからの投票を受付け、ステップＳ７３９へ進む。
【０１６０】
なお、印刷においては図１２などの画面で、ソフトが選ばれたかハードが選ばれたかによって、印刷方法を変えても良い。たとえば前者が選ばれた場合マット調の印刷とし、後者が選ばれた場合には、光沢ありの印刷とするなどである。
【０１６１】
［その他］
なお、写真シール作成装置においては、１回の撮影で１枚の写真画像を生成する場合もあれば、複数回の撮影で１枚の写真画像を生成する場合もある。また、これら撮影によって得られた写真画像に編集を行ないそれぞれ編集された写真画像を生成する場合もある。さらに、カメラなどの撮影機能を備えない写真シール作成装置を構成することも可能である。この場合はカメラによる撮影に代えて、記憶媒体や通信回線から写真画像を取込む。このように写真シール作成装置において色々な方法で生成される写真画像を含む意味において生成手段としている。
【０１６２】
また、上述の写真シール作成装置のコンピュータ装置１００の制御方法を、プログラムとして提供することもできる。このようなプログラムは、コンピュータに付属するフレキシブルディスク、ＣＤ−ＲＯＭ、ＤＶＤ−ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、電気通信回線や衛星通信回線などのネットワークを通じて、プログラムを提供することもできる。
【０１６３】
提供されるプログラム製品は、ハードディスクなどのプログラム格納部にインストールされて実行される。なお、プログラム製品は、プログラム自体と、プログラムが記録された記録媒体とを含む。
【０１６４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１６５】
【図１】写真シール作成装置を撮影側筐体方面から見た斜視図である。
【図２】写真シール作成装置の平面図である。
【図３】撮影側筐体２Ａに含まれるカメラ４の位置関係を示す図である。
【図４】撮影側筐体２Ｃに含まれるカメラ５および６の位置関係を示す図である。
【図５】図１のカメラ４の周辺の正面図である。
【図６】写真シール作成装置の機能構成を示すブロック図である。
【図７】クロマキーキャプチャーボード３６の動作を示す図である。
【図８】複数の合成ライブ表示の動作を示す図である。
【図９】写真シール作成装置における撮影側の処理を示すフローチャートである。
【図１０】こだわりコースでの処理を示すフローチャートである。
【図１１】図１０に続くフローチャートである。
【図１２】写りおよび明るさの選択画面の具体例を示す図である。
【図１３】使用するカメラおよび合成する背景画像の選択画面の具体例を示す図である。
【図１４】選択画面の例を示す図である。
【図１５】選択画面の例を示す図である。
【図１６】本発明の実施の形態における選択画面の例を示す図である。
【図１７】本発明の実施の形態における選択画面の例を示す図である。
【図１８】明るさ選択画面を示す図である。
【図１９】撮影処理の変形例を示すフローチャートである。
【図２０】本発明の実施の形態における撮影処理を示すフローチャートである。
【図２１】図９のオートコースでの処理を示すフローチャートである。
【図２２】撮影時における一連の処理を示すフローチャートである。
【図２３】オートコースにおけるタッチパネルディスプレイ２１の表示内容のタイミングチャートを示す図である。
【図２４】図２１のステップＳ４０１で表示される楽曲選択画面の具体例を示す図である。
【図２５】図２３の開始メッセージ表示タイミングＴ１におけるタッチパネルディスプレイ２１の表示の具体例を示す図である。
【図２６】図２３の撮影タイミングＴ２におけるタッチパネルディスプレイ２１の表示の具体例を示す図である。
【図２７】図２３の撮影タイミングＴ２におけるタッチパネルディスプレイ２１の表示の具体例を示す図である。
【図２８】図２３の撮影タイミングＴ２におけるタッチパネルディスプレイ２１の表示の具体例を示す図である。
【図２９】図２３のプレビュー表示タイミングＴ４におけるタッチパネルディスプレイ２１の表示の具体例を示す図である。
【図３０】編集側の処理を示すフローチャートである。
【図３１】図３０の落書き後のプレイ（Ｓ６１３）の処理を示すフローチャートである。
【図３２】図３１のステップＳ７０７でタブレットディスプレイ２３に表示される画面の具体例を示す図である。
【図３３】図３１のステップＳ７０９でタブレットディスプレイ２３に表示される画面の具体例を示す図である。
【符号の説明】
【０１６６】
２Ａ〜２Ｃ  撮影側筐体、３  編集側筐体、４〜６  カメラ、８Ａ，８Ｂ  はしご、９  撮影用椅子、１２  撮影ブース、１３  編集ブース、１７ａ〜１７ｄ  照明パネル、１８  撮影側スピーカ、１９Ａ〜１９Ｃ  ライブモニタ、２０Ａ〜２０Ｃ  ＬＥＤ表示灯、２１  タッチパネルディスプレイ、２２Ａ，２２Ｂ  背景、２３  タブレットディスプレイ、２４  タッチペン、２５  編集側スピーカ、２７  プリンタ、３１ａ，３１ｂ  コンピュータ装置、３２ａ，３２ｂ  ＣＰＵ、３３ａ，３３ｂ  ＨＤＤ、３４ａ，３４ｂ  メモリ、３５  制御基板、３６  クロマキーキャプチャーボード、４７  音声制御部、５１  ＰＶ用外部モニタ、５５ａ〜５５ｃ  切替装置、５７ａ〜５７ｃ  クロマキ調整値、ａ１〜ａ３，ｂ１〜ｂ３  選択肢。
【図１】
2008046489.tif 000003
【図２】
2008046489.tif 000004
【図３】
2008046489.tif 000005
【図４】
2008046489.tif 000006
【図５】
2008046489.tif 000007
【図６】
2008046489.tif 000008
【図７】
2008046489.tif 000009
【図８】
2008046489.tif 000010
【図９】
2008046489.tif 000011
【図１０】
2008046489.tif 000012
【図１１】
2008046489.tif 000013
【図１２】
2008046489.tif 000014
【図１３】
2008046489.tif 000015
【図１４】
2008046489.tif 000016
【図１５】
2008046489.tif 000017
【図１６】
2008046489.tif 000018
【図１７】
2008046489.tif 000019
【図１８】
2008046489.tif 000020
【図１９】
2008046489.tif 000021
【図２０】
2008046489.tif 000022
【図２１】
2008046489.tif 000023
【図２２】
2008046489.tif 000024
【図２３】
2008046489.tif 000025
【図２４】
2008046489.tif 000026
【図２５】
2008046489.tif 000027
【図２６】
2008046489.tif 000028
【図２７】
2008046489.tif 000029
【図２８】
2008046489.tif 000030
【図２９】
2008046489.tif 000031
【図３０】
2008046489.tif 000032
【図３１】
2008046489.tif 000033
【図３２】
2008046489.tif 000034
【図３３】
2008046489.tif 000035